(57)【要約】【課題】  ゴルフバック用運搬装置は、使用者が容易にゴルフバックを運ぶことができるだけではなく、着脱が可能であり、ゴルフバック支持台を易く交替・取り付けることができるようにした装置に関するものである。【解決手段】  脚部の角度を調節する回動調節部と、回動調節部と回転可能に結合された脚部と、脚部の下段に締結されてゴルフバックを移動させる輪部を含むゴルフバックを容易に移動させるためのゴルフバック用運搬装置において、前記の脚部及び輪部を含む回動調節部が固定配設された固定プレートと、前記の固定プレートの中央部分に垂直方向に固定配設されている所定の長さの垂直バーと、前記の垂直バーをゴルフバックに着脱自在であるように配設された固定手段を含むことを特徴とするゴルフバック用運搬装置である。【選択図】図1
2008080128.tif 000002
【特許請求の範囲】
【請求項１】
脚部の角度を調節する回動調節部と、回動調節部と回転可能に結合された脚部と、脚部の下段に締結されてゴルフバックを移動させる輪部を含むゴルフバックを容易に移動させるためのゴルフバック用運搬装置において、
前記の脚部及び輪部を含む回動調節部が固定配設された固定プレートと、前記の固定プレートの中央部分に垂直方向に固定配設されている所定の長さの垂直バーと、前記の垂直バーをゴルフバックに着脱自在であるように配設された固定手段を含むことを特徴とするゴルフバック用運搬装置。
【請求項２】
請求項１に記載のゴルフバック用運搬装置において、
前記の固定手段は垂直バーの下段を支持するようにゴルフバックの下部本体に固定されるとともに前記の垂直バーの下端部を受容して支持するように締結溝が形成された下段固定部材と、前記の垂直バーの上端を支持するとともに垂直バーをゴルフバックから着脱することができるように構成された上段固定部から構成することを特徴とするゴルフバック用運搬装置。
【請求項３】
請求項２に記載のゴルフバック用運搬装置において、
前記の上段固定部はゴルフバックの上端にリベットなどのような固定部材により固定配設されるとともに一対のガイドレールが形成されているプレートと、前記のプレートの外側でガイドレールが結合されて昇降するようにガイド溝が形成されるとともに垂直バーの上端が挿入されて離脱されないように空間部が形成されたガイドブロックと、前記のガイドブロックが下向きにされるように弾性を印加する弾性手段と、前記のガイドブロックが下向きにされながら垂直バーを空間部に制限する位置及び垂直バーを分離させるために上向きにされせた状態の位置を定めるように形成された位置制限手段から構成することを特徴とするゴルフバック用運搬装置。
【請求項４】
請求項３に記載のゴルフバック用運搬装置において、
前記の弾性手段はガイドブロックの内部上面に垂直に突出形成された係止爪片と、前記の係止爪片に一端がはさまれ、他端がプレートにかかるように配設されたバネと、前記のガイドブロックがバネの弾性により上向き分離されないようにプレートに形成された遮断板から構成することを特徴とするゴルフバック用運搬装置。
【請求項５】
請求項３に記載のゴルフバック用運搬装置において、
前記の位置制限手段はガイドブロックから延長形成されているだけではなく、プレート方向に係止棒受容溝が形成され、その側面に作動ボタン受容溝が形成されているアダプターと、前記の係止棒受容溝に挿入されて移動自在であるとともに斜線形態のスリットが側面に形成されており、バネにより弾性支持された係止棒と、前記の作動ボタン受容溝が挿入されて移動自在であり、前記のスリットと結合されて係止棒を昇降させるように作動リブが形成され、バネにより弾性支持された作動ボタンと、前記の係止棒が突出されればかかるようにプレートに形成されてガイドブロックの上下停止位置を決定する係止溝から構成することを特徴とするゴルフバック用運搬装置。
【請求項６】
請求項１に記載のゴルフバック用運搬装置において、
前記の回動調節部は固定プレートに結合されるメインボディと、前記のメインボディに結合されるとともに第２脚の回動を支持するガイド溝が形成されており、第１脚の回動を支持するガイド長孔及び第１脚が回転した状態を保持するようにする第２ガイド溝が形成された外部カバーから構成することを特徴とするゴルフバック用運搬装置。
【請求項７】
請求項１に記載のゴルフバック用運搬装置において、
前記の回動調節部はメインボディに形成されたガイドレールと、前記のガイドレールが挿入されてはめられるように固定プレートに形成されたガイド溝と、前記のガイド溝にはめられたメインボディを固定及び分離するように配設された固定手段からなる着脱手段により結合及び分離可能に構成することを特徴とするゴルフバック用運搬装置。
【請求項８】
請求項７に記載のゴルフバック用運搬装置において、
前記の固定手段はガイド溝に挿入されるメインボディのガイドレールがはめられるように挟持棒と、前記の挟持棒が昇降できるように固定プレートに形成された貫通孔及び係止棒の底面でこれを弾性支持するバネから構成することを特徴とするゴルフバック用運搬装置。
【請求項９】
請求項１ないし８のいずれか一つに記載のゴルフバック用運搬装置において、
前記の垂直バーの上端にヒンジ手段により結合されるとともに空いた時にゴルフバックを支持し、折られた時に垂直バーに密着されるように構成された２つの支持台と、前記の支持台をゴルフバックが一定な角度以上が傾いた時に空いてゴルフバックを支持するようにし、ゴルフバックが一定な角度以下である場合には支持台が空かないように構成された作動手段を含むことを特徴とするゴルフバック用運搬装置。
【請求項１０】
請求項９に記載のゴルフバック用運搬装置において、
前記のヒンジ手段は垂直バーに固定部材により固定されるだけではなく、両側にヒンジ軸が形成されているヒンジ部材と、前記のヒンジ軸にはめられて回転自在であるように支持台の上段両側に結合されている挟持部材から構成することを特徴とするゴルフバック用運搬装置。
【請求項１１】
請求項１０に記載のゴルフバック用運搬装置において、
前記のヒンジ軸はヒンジ部材に対して後方に一定な角度が傾くように形成して支持台が回転する時に広く空きながらゴルフバックを安定的に支持するように構成することを特徴とするゴルフバック用運搬装置。
【請求項１２】
請求項９に記載のゴルフバック用運搬装置において、
前記の作動手段は両側の挟持部材にそれぞれ突出形成された挟持部と、前記の挟持部にそれぞれ一端がはめられて回転運動するように形成され、他端がバネ結合部材により一方の部分に固定されて挟持部を内側方向に押す弾性を印加するように形成されたバネと、前記の結合部材の下端部に上段が挟持結合された状態で垂直バーの下端にさらに長く突出されるように形成された作動アームと、前記の垂直バーの下端部に固定配設され、作動アームが挿入されて移動自在であるようにガイド孔が形成されたガイド部材から構成することを特徴とするゴルフバック用運搬装置。
【請求項１３】
請求項１２に記載のゴルフバック用運搬装置において、
前記のガイド部材の下段に結合されて地面より広い面積で接触されるように構成された接触部材を含むことを特徴とするゴルフバック用運搬装置。
【発明の詳細な説明】
【技術分野】
【０００１】
本発明はゴルフバック用運搬装置に関する。
【背景技術】
【０００２】
一般的にはゴルフバックは背負ったり、持って運ぶように構成されているので、広いフィールドで長距離を移動しながらプレイするコルファーには多い困難がある。
【０００３】
それ故に、大部分のゴルファーはゴルフバック用カートなどのような別途の運搬装置を用いたり、またはキャディーを伴えながらプレイするが、カートのような運搬装置を用いればカート自体のかさが大きく重量も重いため運搬し難くなり、キャディーを伴えば費用がかかることを改善するために、ゴルフバック自体に運搬装置を取り付けたゴルフバックが開発された。
【０００４】
前記の運搬装置が取り付けられたゴルフバックの一例として、本出願人が出願して登録された（韓国特許登録第０２９５９６２号）ゴルフバック運搬装置がある。
【０００５】
前記のゴルフバック運搬装置は図１２に示されたように、ゴルフバック（Ｇ）に固定される支持プレート（１１０）と前記の支持プレート（１００）に着脱可能に配設されるメインプレート（１０１）及び前記のメインプレート（１０１）に回動可能に組み合わされるとともに輪部（１０２）が取り付けられた脚部（１０３）と、ゴルフバック（Ｇ）の上段に結合されたハンドル部（Ｈ）から構成される。
【０００６】
前記のような従来のゴルフバック運搬装置は、メインプレート（１０１）をゴルフバック（Ｇ）に固定させて用いるものであって、ゴルフバック（Ｇ）の運搬または地面に置く場合に、必要に応じて脚部（１０３）の角度を調節してゴルフバック（Ｇ）を易く保管及び移動させることができる。
【特許文献１】韓国特許登録第０２９５９６２号
【発明の開示】
【発明が解決しようとする課題】
【０００７】
しかし、前記の従来のゴルフバック運搬装置は、支持プレートをゴルフバックに直接固定させるために、ゴルフバックに積載されたクラブの荷重が重くなると支持プレートが結合された部分が裂ける問題点がある。
【０００８】
また、支持プレートをゴルフバック本体に結合させる組立工数が多くなり、これによる不良品の生産が頻繁に発生するという問題点が発生した。
【０００９】
従って、本発明の目的は前記の問題点を解決するためのものであって、使用者が容易にゴルフバックを運ぶことができるだけではなく、ゴルフバックに加えられる荷重を堅固に支持してゴルフバックが破損されることを防止することができるゴルフバック用運搬装置を提供することにある。
【００１０】
本発明の他の目的は、組立工数及び構造を簡単にして生産コスト及び製造コストを節減し、着脱がより容易になれるゴルフバック用運搬装置を提供することにある。
【００１１】
本発明の他の目的は、コルフバック用運搬装置で使用せず、別途のカートを用いる時、かさが大きい輪部を含む運搬装置を分離し、かさが小さい支持台を交替して用いるようにすることによって、ゴルフバックの使用を容易にするゴルフバック用運搬装置を提供することにある。
【課題を解決するための手段】
【００１２】
前記の目的を実現するために、本発明は脚部の角度を調節する回動調節部と、回動調節部と回転可能に結合された脚部と、脚部の下段に締結されてゴルフバックを移動させる輪部を含むゴルフバックを容易に移動させるためのゴルフバック用運搬装置において、
前記の脚部及び輪部を含む回動調節部が固定配設された固定プレートと、前記の固定プレートの中央部分に垂直方向に固定配設されている所定長さの垂直バーと、前記の垂直バーをゴルフバックに着脱自在に配設された固定手段を含む。
【００１３】
また、前記の固定手段は垂直バーの下端を支持するようにゴルフバックの下部の本体に固定されるとともに前記の垂直バーの下端部を受容して支持するように締結溝が形成された下段固定部材と、前記の垂直バーの上端を支持するとともに垂直バーをゴルフバックから着脱することができるように構成された上段固定部から構成することを特徴とする。
【００１４】
また、前記の上段固定部はゴルフバックの上端にリベットなどのような固定部材により固定配設されるとともに一対のガイドレールが形成されているプレートと、前記のプレートの外側でガイドレールに結合されて昇降するようにガイド溝が形成されるとともに垂直バーの上端が挿入されて離脱されないように空間部が形成されたガイドブロックと、前記のガイドブロックが下向きにされるように印加する弾性手段と、前記のガイドブロックが下向きにされながら垂直バーを空間部に制限する位置及び垂直バーを分離させるために上向きにされせる状態の位置を定めるように形成された位置制限手段から構成することを特徴とする。
【００１５】
また、前記の弾性手段はガイドブロックの内部上面に垂直に突出形成された係止爪片と、前記の係止爪片に一端がはめられて、他端がプレートにかかるように配設されたバネと、前記のガイドブロックがバネの弾性により上向き分離されないようにプレートに形成された遮断板から構成することを特徴とする。
【００１６】
また、前記の位置制限手段はガイドブロックから延長形成されているだけではなく、プレート方向に係止棒受容溝が形成され、その側面に作動ボタン受容溝が形成されているアダプターと、前記の係止棒受容溝に挿入されて移動自在であるとともに斜線形態のスリットが側面に形成されており、バネにより弾性支持された係止と、前記の作動ボタン受容溝に挿入されて移動自在であり、前記のスリットと結合されて係止棒を昇降させるように作動リブが形成され、バネにより弾性支持された作動ボタンと、前記の係止棒が突出されればかかるようにプレートに形成されてガイドブロックの上下停止位置を決定する係止溝から構成することを特徴とする。
【００１７】
また、前記の回動調節部は固定プレートに結合されるメインボディと、前記のメインボディに結合されるとともに第２脚の回動を支持するガイド溝が形成されており、第１脚の回動を支持するガイド長孔及び第１脚が回転した状態を保持するようにする第２ガイド溝が形成された外部カバーから構成することを特徴とする。
【００１８】
また、前記の回動調節部はメインボディに形成されたガイドレールと、前記のガイドレールが挿入されて挟まれるように固定プレートに形成されたガイド溝と、前記のガイド溝に挟まれたメインボディを固定及び分離するように配設された固定手段からなる着脱手段から結合及び分離可能に構成することを特徴とする。
【００１９】
また、前記の固定手段は、ガイド溝に挿入されるメインボディのガイドレールが挟まれるように挟み溝が形成された係止棒と、前記の係止棒が昇降できるように固定プレートに形成された貫通孔及び固定部材の底面でこれを弾性支持するバネから構成することを特徴とする。
【００２０】
また、前記の垂直バーの上端にヒンジ手段により結合されるとともに空いた時にゴルフバックを支持し、折られた時に垂直バーに密着されるように構成された２つの支持台と、前記の支持台をゴルフバックが一定角度以上傾いた時に空いてゴルフバックを支持するようにし、ゴルフバックが一定角度以下である場合には支持台が構成された空かないように作動手段を含むことを特徴とする。
【００２１】
また、前記のヒンジ手段は垂直バーに固定部材により固定されているだけではなく、両側にヒンジ軸が形成されているヒンジ部材と、前記のヒンジ軸にはめられて回転自在であるように支持台の上端両側に結合されている挟持部材から構成することを特徴とする。
【００２２】
また、前記のヒンジ軸はヒンジ部材に対して後方へ一定角度傾くように形成して支持台が回転する時に広く空きながらゴルフバックを安定的に支持するように構成することを特徴とする。
【００２３】
また、前記の作動手段は両側の挟持部材にそれぞれの突出形成された挟持部と、前記の挟持部にそれぞれ一端がはめられて回転運動するように形成され、他端がバネ結合部材により一方の部分に固定されて挟持部を内側方向に押す弾性を印加するように形成されたバネと、前記の結合部材の下端部に上段が挟持結合された状態で垂直バーの下端にさらに長く突出されるように形成された作動アームと、前記の垂直バーの下端部に固定配設され、作動アームが挿入されて移動自在であるようにガイド孔が形成されたガイド部材から構成することを特徴とする。
【００２４】
また、前記のガイド部材の下端に組み合わされて地面より広い面積に接触されるように構成された接触部材を含むことを特徴とする。
【発明の効果】
【００２５】
本発明によると、使用者が容易にゴルフバックを運ぶことができるだけではなく、ゴルフバックに加えられる荷重を堅固に支持してゴルフバックが破損されることを防止することができる。
【発明を実施するための最良の形態】
【００２６】
図１は本発明の一実施例による運搬装置がゴルフバックに取り付けられた状態を示した斜視図であり、図２は図１に示された運搬装置がゴルフバックから分離された状態を示した斜視図であって、ゴルフバック用運搬装置は脚部（１）と輪部（２）を含む回動調節部（３）が固定配設された固定プレート（４）と、前記の固定プレート（４）の中央部分に垂直方向に固定配設されている所定長さの垂直バー（５）と、前記の垂直バー（５）をゴルフバック（Ｇ）に着脱自在であるように配設された固定手段からなっている。
【００２７】
即ち、垂直バー（５）が取り付けられている固定プレート（４）に脚部（１）及び輪部（２）を含む回動調節部（３）が取り付けられるとともに前記の垂直バー（５）が固定手段によりゴルフバック（Ｇ）から着脱可能になることによって、回動調節部（３）をゴルフバック（Ｇ）に設置及び分離することが容易になり、ゴルフバック（Ｇ）に配設された時にゴルフバック（Ｇ）に直接的な圧力をかけず、垂直バー（５）を介して圧力が印加されることによりゴルフバック（Ｇ）が裂けることを防止することができる。
【００２８】
ここで、前記の固定プレート（４）はゴルフバック（Ｇ）に密着されるが、荷重が印加されない状態で回動調節部（３）を支持する役割のみをするようになり、ゴルフバック（Ｇ）との接触面が安定されるように所定曲率に形成されている。
前記の固定プレート（４）と垂直バー（５）及び回動調節部（３）はネジ（６）またはリベットなどのような固定部材により結合されており、前記の固定プレート（４）の材質は鉄材、強化プラスチックなどの強度が優れ、耐久性が大きいものであればどんなものを用いても構わない。
【００２９】
前記の固定手段は垂直バー（５）の下端を支持する下段固定部材（７）と、前記の垂直バー（５）の上端を支持するとともに垂直バー（５）をゴルフバック（Ｇ）から着脱できるように構成された上段固定部材（８）からなっている。
【００３０】
前記の下段固定部材（７）は垂直バー（５）の下端部分が一定な深さに挿入されるように締結溝（９）が形成されるとともにゴルフバック（Ｇ）の底面に固定配設されている。
また、前記の上段固定部材（８）は図２、図４及び図５に示されたように、ゴルフバック（Ｇ）の上段にリベットなどのような固定部材により固定配設されるとともに一対のガイドレール（１０）が形成されているプレート（１１）と、前記のプレート（１１）の外側でガイドレール（１０）に結合されて昇降するようにガイド溝（１２）が形成されるとともに垂直バー（５）の上端に挿入されて離脱されないように空間部（１３）が形成されたガイドブロック（１４）と、前記のガイドブロック（１４）が下向きにされるように弾性を印加する弾性手段と、前記のガイドブロック（１４）が下向きにされながら垂直バー（５）を空間部（１３）に制限する位置及び垂直バー（５）を分離させるために上向きにされせる状態の位置を定めるように形成された位置制限手段からなっている。
【００３１】
即ち、前記の垂直バー（５）をプレート（１１）に密着させた状態でガイドブロックを下向きにされせれば、垂直バー（５）が固定されながらゴルフバック（Ｇ）に取り付けるものであり、ガイドブロック（１４）を上向きにされせれば垂直バー（５）を離脱させることができるようになる。
【００３２】
前記の弾性手段はガイドブロック（１４）の内部上面に垂直に突出形成された係止爪片（１５）と、前記の係止爪片（１５）に一端がはめられ、他端がプレート（１１）にかかるように配設されたバネ（１６）と、前記のガイドブロック（１４）がバネ（１６）の弾性により上向き分離されないようにプレート（１１）に形成された遮断板（１７）からなっている。
【００３３】
また、前記の位置制限手段はガイドブロック（１４）から延長形成されているだけではなく、プレート（１１）方向に係止棒受容溝（１８）が形成され、その側面に作動ボタン受容溝（１９）が形成されているアダプター（２）と、前記の係止棒受容溝（１８）に挿入されて移動自在であるとともに斜線形態のスリット（２１）が側面に形成されており、バネ（２２）により弾性支持された係止棒（２３）と、前記の作動ボタン受容溝（１９）に挿入されて移動自在であり、前記のスリット（２１）に結合されて係止棒（１９）を昇降させるように作動リブ（２４）が形成され、バネ（２５）により弾性支持された作動ボタン（２６）と、前記の係止棒（１９）が突出されればかかるようにプレート（１１）に形成されてガイドブロック（１４）の上下停止位置を決定する係止溝（２７）からなっている。
【００３４】
即ち、前記の作動ボタン（２６）を押せば係止棒（２３）が受容溝（１８）の内部に入り、作動ボタン（２６）押さなければ突出されるように構成されたものであって、前記の係止溝（２７）に係止棒（２３）がかかりながらガイドブロック（１４）の上下停止位置を決定するようになる。
【００３５】
ここで、前記の垂直バー（５）の上端には図１２のハンドル部（Ｈ）を組合させるための結合具（２８）が配設されており、作動ボタン（２６）が抜けず移動自在であるように作動ボタン（２６）に制限溝（Ｈ）が形成され、前記の制限溝（Ｈ）がかかるようにアダプター（２０）にネジ（Ｓ）が結合される。
【００３６】
前記の回動調節部（３）は図２及び図３に示されたように固定プレート（４）に結合されるメインボディ（２９）と、前記のメインボディ（２９）の結合されるとともに第２脚（３０）の回動を支持するガイド溝（３１）が形成されており、第１脚（３２）の回動を支持するガイド長孔（３３）及び第１脚（３２）が回転した状態を保持するようにする第２ガイド溝（３４）が形成された外部カバー（３５）からなっている。
【００３７】
前記の第１、２脚（３２、３０）からなる脚部（１）には輪部（２）がトレーリングアセンブリ（ｔｒａｉｌｉｎｇａｓｓｅｍｂｌｙ）（３６）により連結されているので、前記の第１脚（３２）及び第２脚（３０）を全て広げればゴルフバック（Ｇ）を若干斜めに傾くように立てて用いられ、第１、２脚（３２、３０）を折れば前記の運搬装置はゴルフバック（Ｇ）の外周縁に密着される。
【００３８】
従って、使用者がフィールドを移動する時には脚部（１）の脚を折って移動し、ゴルフを打つ場合及び用いない場合には脚部(1)の脚を広げて安全に立てることができる。
前記のような本発明の作用効果を説明すれば、ゴルフバック用運搬装置をゴルフバック（Ｇ）に取り付ける場合には、垂直バー（５）の下端部を下段固定部材（７）の締結溝（９）に挿入して固定させ、垂直バー（５）の上端部をプレート（１１）に位置させる。
【００３９】
そして、ガイドブロック（１４）を下部方向に摺動させてプレート（１１）に形成された係止溝（２７）に係止棒（２３）がはめられて固定されるようにすれば、前記のガイドブロック（１４）の底面に形成された空間部（１３）に前記の垂直バー（５）に上端部が受容されてゴルフバック（Ｇ）に運搬装置が結合されるものである。
【００４０】
また、ゴルフバック用運搬装置をゴルフバック（Ｇ）から分離させる場合には、アダプター（２０）に備えられた作動ボタン（２６）を押してガイドブロック（１４）を下向きにされせるようになるので、前記の作動ボタン（２６）を押せばここに形成された作動リブ（２４）が前進し、これに噛み合っているスリット（２１）により係止棒（３）が上昇するようになることにより係止溝（２７）から係止棒（２３）が抜けながらガイドブロック（１４）が上向きにされる。
【００４１】
即ち、ゴルフバック（Ｇ）に運搬装置を取り付けず、垂直バー（５）及び上段固定部材（８）を用いて運搬装置を便利に取り付けることができ(取り外すこともできる)、ゴルフバック（Ｇ）に荷重を堅固に支持することができるようになる。
図６及び図７は本発明で回動調節部（３）を着脱できるように着脱手段を構成した他の実施例であって、回動調節部（３）のメインボディ（２９）に形成されたガイドレール（３７）と、前記のガイドレール（３７）が挿入されてはめられるように固定プレート（４）に形成されたガイド溝（３８）と、前記のガイド溝（３８）にはめられたメインボディ（２９）を固定及び分離するように配設された固定手段からなっている。
【００４２】
前記の固定手段はガイド溝（３８）に挿入されるメインボディのガイドレール（３７）がはめられるように挟持溝（３９）が形成された係止棒（４０）と、前記の係止棒（４０）が昇降できるように固定プレート（４）に形成された貫通孔（４１）及び係止棒（４０）の底面でこれを弾性支持するバネ（４２）からなっている。
【００４３】
即ち、前記の係止棒（４０）を押す状態で前記の回動調節部（３）をガイド溝（３８）に挿入させれば前記の係止棒（４０）の挟持溝（３９）にガイドレール（３８）がはめられるようになり、押し状態を解除させれば係止棒（４０）が上向きにされながら挟持溝（３９）によりガイドレール（３８）が固定され、これにより前記の回動調節部（３）が固定されるものである。
【００４４】
もちろん、前記の係止棒（４０）を押す状態では前記のメインボディ（２９）を引けば易く抜けるので、回動調節部（３）の分離も容易である。
【００４５】
図８ａ、図８ｂ、図９及び図１０は本発明による回動調節部を使用せず、別途のカートを使用する時、交替して使用できる支持台を示した斜視図及び断面図であって、前記の下段固定部材（７）及び上段固定部材（８）により固定される垂直バー（５´）の上端にヒンジ手段により結合されるとともに空いた時にゴルフバック（Ｇ）を支持し、折らせた時に垂直バー（５´）に密着されるように構成された２つの支持台（４３）と、前記の支持台（４３）をゴルフバック（Ｇ）が一定な角度以上に傾いた場合には空いてゴルフバック（Ｇ）を支持するようにし、ゴルフバック（Ｇ）が一定な角度以下である場合には支持台（４３）が空かないように構成された作動手段から構成されている。
【００４６】
即ち、前記のゴルフバック（Ｇ）が地面から一定な角度以上に傾くようになれば作動手段が作動しながら支持台（４３）を空くようにすることにより、ゴルフバック（Ｇ）が支持台（４３）により傾いた状態で支持されるようにするものである。
前記のヒンジ手段は垂直バー（５´）にリベットなどのような固定部材により固定されているだけではなく、両側にヒンジ軸（４４）が形成されているヒンジ部材（４５）と、前記のヒンジ軸（４４）にはめられて回転自在であるように支持台（４３）の上段両側に結合されている挟持部材（４６）からなっている。
【００４７】
特に、前記のヒンジ軸（４４）はヒンジ部材（４５）に対して後方に一定な角度θ傾くように形成されているので、これは支持台（４３）が空いた場合、広く空きながらゴルフバック（Ｇ）を安定的に支持するようにするためのものである。
【００４８】
また、前記の作動手段は両側の挟持部材（４６）にそれぞれ突出形成された挟持部（４７）と、前記の挟持部（４７）にそれぞれの一端がはめられて回転運動するように形成され、他端がバネ結合部材（４８）により一方の部分に固定されて挟持部（４７）を内側方向へ押す弾性を印加するように形成されたバネ（４９）と、前記の結合部材（４８）の下端部に上段が挟み結合された状態で垂直バー（５´）の下端にさらに長く突出されるように形成された作動アーム（５０）と、前記の垂直バー（５´）の下端部に固定設置され、作動アーム（５０）が挿入されて移動自在であるようにガイド孔（５１）が形成されたガイド部材（５２）から構成されている。
【００４９】
前記のバネ結合部材（４８）とバネ（４９）との結合状態は、図１１に示されたように２つのバネ（４９）下端が結合部材（４８）の上端に挿入固定されており、結合部材（４８）の下段には作動アーム（５０）が挿入されているようになる。
【００５０】
特に、前記の作動アーム（５０）の下端には地面により広い面積で接触されるように接触部材（５３）が結合されている。
【００５１】
前記のような支持台の作用効果を説明すれば、ゴルフバック（Ｇ）を別途のカートに載せて移動したり、背負ったりして移動するときには図８ａのように支持台（４３）が垂直バー（５´）に密着されている状態となる。
【００５２】
即ち、上段固定部材（８）を解除させて既存の輪部（２）が取り付けられた垂直バー（５´）を分離させた後、ここに支持台（４３）が取り付けられた垂直バー（５´）を組合させ、前記の上段固定部材（８）に垂直バー（５´）を固定させる。
【００５３】
この状態でコルフを打つ人がゴルフバック（Ｇ）を地面において立てるようにすれば、図８ｂに示されたようにゴルフバック（Ｇ）をおいて作動アーム（５０）を押しながらゴルフバック（Ｇ）を傾けるようになり、これにより作動アーム（５０）が上身なされながらバネ（４９）により支持台（４３）が回転するようになる。
【００５４】
支持台（４３）が回転すればヒンジ軸（４４）の角度θにより支持台（４３）が空きながら回転するようになり、ゴルフバック（Ｇ）が傾いた状態で安定的に支持される。
即ち、ゴルフバック（Ｇ）にクラブが入っている状態では自体の荷重があるために、ゴルフバック（Ｇ）を傾ければ作動アーム（５０）が押しながら自動的に支持台（４３）が空くようになるので、自然にゴルフバック（Ｇ）が傾いた状態で状態で支持される。
【００５５】
もちろん、前記の作動アーム（５０）はガイド部材（５３）のガイド孔（５１）を昇降するために、安定かつ円滑に昇降する。
【００５６】
ここで、前記の支持台（４３）が取り付けられた垂直バー（５´）を分離してゴルフバック（Ｇ）だけを持って通うことができ、再度輪部（２）が取り付けられた垂直バーを取り付けることができるので、前記の上段固定部材（８）を解除させ、垂直バー（５´）を分離させれば容易に分離されることにより交替して使用することが容易になる。
【００５７】
前記のように構成された支持台（４３）は使用者が別途のカートを用いようとする場合に用いるものであって、ゴルフバック（Ｇ）の下段固定部材（７）と上段固定部材（８）から回動調節部（３）が配設された垂直バー（５）を除去するとともに支持台（４３）が配設されている垂直バー（５´）を取り付けて使用するので、使用者が選択的に運搬装置または支持台（４３）をゴルフバック（Ｇ）に取り付けて使用することができる便利性がある。
【図面の簡単な説明】
【００５８】
【図１】本発明の一実施例による運搬装置がゴルフバックに取り付けられた状態を示した図面である。
【図２】図１に示された運搬装置がゴルフバックより分離された状態を示した図面である。
【図３】図２において垂直バー及び回動調節部を分解して示した図面である。
【図４】図２において上段固定部を示した図面である。
【図５】図２においてガイドブロックの作動状態を示した図面である。
【図６】本発明の他の実施例において回動調節部のメインボディを固定プレートで着脱可能に構成した着脱手段を示した図
【図７】図６において係止棒とバネを示した図面である。
【図８ａ】本発明の他の実施例によるゴルフバック用支持台を交替装着した状態を示した図面である。
【図８ｂ】図８aにおいて支持台を広げた状態を示した図面である。
【図９】図８aにおいて支持台を分離して示した図面である。
【図１０】図９において支持台を切断して示した図面である。
【図１１】図９においてバネが結合された結合部材を示した図面である。
【図１２】一般的なゴルフバック用運搬装置を示した図面である。
【符号の説明】
【００５９】
１−脚部
２−輪部
３−回動調節部
４−固定プレート
５、５´−垂直バー
Ｇ−ゴルフバック
７−下段固定部材
８−上段固定部材
９−締結溝
１０−ガイドレール
１１−プレート
１２−ガイド溝
１４−ガイドブロック
１５−係止爪片
１６−バネ
１７−遮断板
１８−係止棒受容溝
１９−作動ボタン受容溝
２３−係止棒
２６―作動ボタン
２７−係止溝
２８−結合具
２９−メインボディ
３０−第２脚
３１−ガイド溝
３２−第１脚
３３−ガイド長孔
３４−第２ガイド溝
３５−外部カバー
３６−トレーリングアセンブリ
３８−ガイド溝
３９−挟持溝
４０−係止棒
４１−貫通孔
４３−支持台
４４−ヒンジ軸
４５−ヒンジ部材
４６−挟持部材
４８−バネ結合部材
５０−作動アーム
５１−ガイド孔
５２−ガイド部材
５３−接触部材
【図１】
2008080128.tif 000003
【図２】
2008080128.tif 000004
【図３】
2008080128.tif 000005
【図４】
2008080128.tif 000006
【図５】
2008080128.tif 000007
【図６】
2008080128.tif 000008
【図７】
2008080128.tif 000009
【図８ａ】
2008080128.tif 000010
【図８ｂ】
2008080128.tif 000011
【図９】
2008080128.tif 000012
【図１０】
2008080128.tif 000013
【図１１】
2008080128.tif 000014
【図１２】
2008080128.tif 000015